(57)【要約】      （修正有）【課題】径の異なる、少なくも２種の幹線用支持線に対し選択的に自在に取付けられ、係合溝と突条の係合関係による幹線用支持線の径の多少の相違による不適合も吸収する柱間分線金物を提供する。【解決手段】一対の、厚肉横長形状の挟持板２と、該挟持板２を互いに締付けるフック金具１を備え、フック金具１は、挟持板２に設けた透孔５に貫通させてナット１０を螺合する螺子杆部３の頭部３ａに、分線時に引留め金具Ｂの掛止リングＢａを掛止するフック部４を設ける。挟持板２は、長手方向に沿う一側部の表裏両面部に、支持線ａの軸線に沿う一半を係合し、互いに径を異にする挟持溝７Ａを備えると共に、前記一側部に透孔５を介して相対する他側部の表裏両面部の、前記長手方向の一半側に突条を、他半側に該突条の延長上にして、突条を係合する程度の径にした係合溝をそれぞれ設ける。突条乃至係合溝は、前記表裏両面部間において互いに径を異にし、かつ、互いに反転位置の位置関係に配する。【選択図】図１
0003169539.tif 000002
【実用新案登録請求の範囲】
【請求項１】
支持線を介在させて重ね合わせる互いに同形な、一対の、厚肉横長形状の挟持板と、該挟持板を互いに締付けるフック金具を備え、フック金具は、前記挟持板に設けた透孔に貫通させてナットを螺合する螺子杆部の頭部に、分線時に引留め金具の掛止リングを掛止するフック部を設けて成り、前記挟持板は、長手方向に沿う一側部の表裏両面部に、前記支持線の軸線に沿う一半を係合し、しかも、前記表裏両面間で互いに径を異にする挟持溝を備えると共に、前記一側部に前記透孔を介して相対する他側部の表裏両面部の、前記長手方向の一半側に、突条を、また、他半側に該突条の延長上にして、しかも、該突条を係合する程度の径にした係合溝をそれぞれ設け、該突条乃至係合溝は、前記表裏両面部間において互いに径を異にし、かつ、反転する位置関係に配した、柱間分線金物。
【考案の詳細な説明】
【技術分野】
【０００１】
本考案は、電柱間の幹線用支持線部に設置して前記電柱間に架設した通信線等を分線して、一般需要家宅に引込む際に、前記通信線等の支持線を組付ける引留め具を掛止させるために用いる柱間分線金物に関するものである。
【背景技術】
【０００２】
相対向して配する一対の挟持板の一側に、幹線用支持線の軸線に沿う一半側をそれぞれ係合する挟持溝を設け、両挟持板に設けた貫通孔に貫通させたフック金具の螺子杆部にナットを螺合して両挟持板を互いに締め付けるようにして、前記挟持溝に係合した幹線用支持線を挟持させ、フック金具のフック部に引留め具を係止するようにした構造のものがある（例えば、特許文献１）が、この構造のものは、幹線用支持線を互いに重ね合わせた挟持板で挟持するようにするだけなので、径の異なる幹線用支持線の適用範囲が限られる。
【０００３】
このため、幹線用支持線を挟持する挟持溝側の一端に対応する、挟持板の他の一端側に、一方の挟持板にあっては断面円形の突条を、他方の挟持板にあっては円形の係合溝を設けて、これら係合溝と突条とが互いに係合して回動するようにし、他端側の挟持溝に係合する支持線の径の相違を吸収して径の異なる幹線用支持線にできるだけ対応できるようにし、電柱間の通信線等の分線を行うようにした構造のものが提案された（例えば、特許文献２）。
【先行技術文献】
【特許文献】
【０００４】
【特許文献１】実開平１−５８２３１号公報
【特許文献２】特開２００６−２３８６３２号公報
【考案の概要】
【考案が解決しようとする課題】
【０００５】
前記特許文献２記載の構造のものは、係合溝と突条の係合関係によって挟持板間の開放角度に融通性を持たせ、支持線の径の相違を吸収させるようにして支持線の径の相違を吸収し、適用できるようにしたものであるが、一種の係合溝を径の異なる幹線用支持線に兼用させようとするため無理があり、径が大きく相違する場合には適用できない、という限界がある。
【０００６】
本考案は、径の異なる、少なくも２種の幹線用支持線に対し選択的に自在に取付けられ、しかも、係合溝と突条の係合関係による幹線用支持線の径の多少の相違による不適合も吸収して実用的な柱間分線金物を提供すべく創案したものである。
【課題を解決するための手段】
【０００７】
支持線を介在させて重ね合わせる互いに同形な、一対の、厚肉横長形状の挟持板と、該挟持板を互いに締付けるフック金具を備え、フック金具は、前記挟持板に設けた透孔に貫通させてナットを螺合する螺子杆部の頭部に、分線時に引留め金具の掛止リングを掛止するフック部を設けて成り、前記挟持板は、長手方向に沿う一側部の表裏両面部に、前記支持線の軸線に沿う一半を係合し、しかも、互いに径を異にする挟持溝を備えると共に、前記一側部に前記透孔を介して相対する他側部の表裏両面部の、前記長手方向の一半側に突条を、また、他半側に該突条の延長上にして、しかも、該突条を係合する程度の径にした係合溝をそれぞれ設け、該突条乃至係合溝は、前記表裏両面部間において互いに径を異にし、かつ、反転する位置関係に配したことを基本的手段とする。
【考案の効果】
【０００８】
本考案は、前記の通りの構成であるから、一対の挟持板を、その表面側と裏面側とに使い分けすることにより、少なくも径の異なる２種の支持線を確実に挟持して支障なく組付けることのできる柱間分線金物を提供できる。しかも、一対の挟持板は同形で構成するものであるから、在庫管理や量産に適し、従って、比較的安価な製品とすることができる。
【図面の簡単な説明】
【０００９】
【図１】一の使用状態を示す正面図。
【図２】一の使用状態時の分線金物の正面図。
【図３】図２の側面図。
【図４】一方向から見た挟持板の斜視図。
【図５】他方向から見た挟持板の斜視図。
【図６】他の使用状態を示す正面図。
【図７】他の使用状態時の分線金物の正面図。
【図８】図７の側面図。
【考案を実施するための形態】
【００１０】
図面は本考案に係る柱間分線金物の一実施形態を示し、本考案の柱間分線金物Ａは、フック金具１と、該フック金具１と組合わせる、互いに同形な一対の挟持板２，２で構成する。
【００１１】
フック金具１は、螺子杆部３の角根付頭部３ａにややＵ字形のフック部４を延設して成るもので、角根付頭部３ａの角根部３ａ´は、基部から螺子杆部３の先端方向に次第に径を細くした角錐台形状を成して、前記挟持板２の中央部に設けた方形の透孔５に係合するようにしてある。
【００１２】
挟持板２は、前記方形の透孔５と、長手方向に沿う一端に該透孔５と並べるようにして設けた切欠６とを備えた横長方形状の、厚肉の、板体で成り、その表裏両面２´，２´´の一方（表面２´側）の、前記切欠６側の、すなわち、長手方向に沿う一側に相対する他側に第一挟持溝７Ａを、他方の、すなわち裏面２´´の、長手方向に沿う一側に相対する前記他側に第二挟持溝７Ｂをそれぞれ設けてある。
【００１３】
第一挟持溝７Ａと第二挟持溝７Ｂは、挟持板２の長手方向に沿う一側に相対する他側に前記長手方向に沿わせて配した断面円弧状を成し、第一挟持溝７Ａの径を第二挟持溝７Ｂの径より大きくして、径の異なる２種の支持線中から選択した一方を第一挟持溝７Ａに、他方を第二挟持溝７Ｂに適用するようにしてそのいずれかを選んで用いるようにしてある。
【００１４】
各挟持溝７Ａ，７Ｂの表面は、前記長手方向に凹部乃至凸部を列設して（図４、図５）凹凸面とし、前記断面円弧状と共に、軸線に沿う一半を係合して挟持させた支持線ａを確実に挟持するようにしてある。
【００１５】
そして、前記切欠６側の長手方向に沿う一側の、前記挟持板２の前記表面２´側の一側には、前記長手方向に沿う断面半円状の先端縁を備えた第一突条８Ａを、他側には該第一突条８Ａ（相対して配する他の挟持板２の）が係合するに充分な断面凹円弧状の第一係合溝９Ａをそれぞれ設け、また、前記切欠６側の長手方向に沿う挟持板２の一側の、前記裏面２´´側の一側、すなわち、前記第一係合溝９Ａ部の裏側には断面円弧状の第二突条８Ｂを、他側、すなわち、前記第一突条８Ａの裏側には、該第二突条８Ｂに係合するに充分な、前記長手方向に沿う断面円弧状の先端縁を備えた第二係合溝９Ｂをそれぞれ設けてある。すなわち、前記挟持板２は、長手方向に沿う一側部の表裏両面２´，２´´部に、前記支持線ａの軸線に沿う一半を係合し、しかも、互いに径を異にする第一、第二の挟持溝７Ａ，７Ｂを備えると共に、前記一側部に前記透孔５を介して相対する他側部の表裏両面２´，２´´部の、前記長手方向の一半側に、第一突条８Ａ又は第二突条８Ｂを、また、他半側に該突条８Ａ又は８Ｂの延長上にして、しかも、該突条を係合する程度の径にした第一係合溝９Ａ又は第二係合溝９Ｂをそれぞれ設け、該突条８Ａ，８Ｂ同士乃至係合溝９Ａ，９Ｂ同士は、前記表裏両面２´，２´´部間において互いに径を異にし、かつ、反転して用いることのできる位置関係（突条８Ａとの裏側に係合溝９Ｂが、係合溝９Ａの裏側に突条８Ｂが在るように）に配したものである。
【００１６】
フック金具１と一対の挟持板２，２を組合わせて用いる、この柱間分線金物Ａは、支持線ａ（の径）に対応させて、表面２´，２´又は裏面２´´，２´´同士を相対向させ、対向する挟持板２の表面２´又は裏面２´´に設けた第一挟持溝７Ａ又は第二挟持溝７Ｂに当該支持線の長手方向に沿う一半を係合し、方形の透孔５を通じて突出させたフック金具１の螺子杆部３の先端にナット１０を螺合し、締め付けるようにして当該支持線ａを、挟持板２で第一挟持溝７Ａ又は第二挟持溝７Ｂにおいて挟持した状態で該支持線ａの適所に設置される。そして、支持線ａの適所に設置された柱間分線金物Ａのフック金具１のフック部４に引留め金具Ｂをフック部Ｂａにおいて掛止させるようにして用いるのである。
【００１７】
図示の、支持線ａは、自己支持型ケーブルＣを構成するものを示しているが、別体のケーブルを専ら支持するための、支持線（所謂メッセンジゃーワイヤー）に対しても本柱間分線金物は適用できる。
【符号の説明】
【００１８】
１      フック金具
２      挟持板
３      螺子杆部
３ａ    頭部
４      フック部
５      透孔
７Ａ    第一挟持溝
７Ｂ    第二挟持溝
８Ａ    第一突条
８Ｂ    第二突条
９Ａ    第一係合溝
９Ｂ    第二係合溝
Ｂ      引留め金具
【図１】
0003169539.tif 000003
【図２】
0003169539.tif 000004
【図３】
0003169539.tif 000005
【図４】
0003169539.tif 000006
【図５】
0003169539.tif 000007
【図６】
0003169539.tif 000008
【図７】
0003169539.tif 000009
【図８】
0003169539.tif 000010